(57)【要約】      （修正有）【課題】建具用枠材に傷が付くのを抑止できる建具用枠材の梱包体を提供する。【解決手段】梱包体１０は、複数の包装体１４と、梱包箱１２と、を備える。複数の建具用枠材１６が１つずつフィルム１８に包装されて複数の包装体１４が形成される。複数の包装体１４はそれぞれ、少なくとも１つの他の包装体１４と接触するように梱包箱１２に収容される。複数の包装体１４はそれぞれ、フィルム１８のファンデルワールス力や静電気力などにより、接触している他の包装体１４と接着し合う。これにより、複数の包装体１４は１つの塊（すなわち集合体）を形成する。この包装体１４の集合体は、少なくとも、互いに対向する梱包箱１２の２つの側面に接するように梱包箱１２に収容される。これにより、包装体１４は梱包箱１２により結束された状態となる。【選択図】図２
2018027804.tif 000002
【特許請求の範囲】
【請求項１】
複数の建具用枠材が１ユニットごとにフィルムに包装され、それら複数の包装体が梱包箱に収容されていることを特徴とする建具用枠材の梱包体。
【請求項２】
複数の包装体のうちの少なくとも１つの包装体に含まれる建具用枠材のユニットは、係合された複数の建具用枠材であることを特徴とする請求項１に記載の建具用枠材の梱包体。
【請求項３】
複数の建具用枠材が１ユニットごとにフィルムに密着包装されていることを特徴とする請求項１または２に記載の建具用枠材の梱包体。
【請求項４】
複数の建具用枠材が少なくとも１つずつフィルムに密着包装され、それら複数の包装体が梱包箱に収容されていることを特徴とする建具用枠材の梱包体。
【請求項５】
複数の包装体のそれぞれについて、
包装された建具用枠材から浮いているフィルムの部分には、弛みまたはしわが生じていることを特徴とする請求項３または４に記載の建具用枠材の梱包体。
【請求項６】
複数の包装体のそれぞれについて、
包装された建具用枠材から浮いているフィルムの部分には、ミシン目が設けられていることを特徴とする請求項５に記載の建具用枠材の梱包体。
【請求項７】
複数の包装体の集合体は、互いに対向する梱包箱の２つの側面に少なくとも接するように梱包箱に収容されていることを特徴とする請求項１から３のいずれかに記載の建具用枠材の梱包体。
【請求項８】
フィルムに包装されない建具用枠材である非包装体が、他の非包装体と接触しないように、複数の包装体とともに梱包箱に収容されていることを特徴とする請求項１から７のいずれかに記載の建具用枠材の梱包体。
【発明の詳細な説明】
【技術分野】
【０００１】
本発明は、建具用枠材の梱包体に関する。
【背景技術】
【０００２】
建具用枠材の一例としてサッシを構成する枠材がある。サッシを構成する枠材は、通常、ひとまとめに梱包して輸送される（例えば特許文献１参照）。
【先行技術文献】
【特許文献】
【０００３】
【特許文献１】実開昭５９−１５９５５７号公報
【発明の概要】
【発明が解決しようとする課題】
【０００４】
特許文献１に記載されるような梱包体では、複数の枠材をまとめて結束し、複数の結束体を梱包箱に収容している。したがって、例えば梱包時や梱包体の輸送時に結束体同士すなわち枠材同士が擦れて枠材に傷が付いてしまうことがあった。
【０００５】
本発明はこうした状況に鑑みてなされたものであり、その目的は、建具用枠材に傷が付くのを抑止できる建具用枠材の梱包体を提供することにある。
【課題を解決するための手段】
【０００６】
上記課題を解決するために、本発明のある態様の建具用枠材の梱包体は、複数の建具用枠材が１ユニットごとにフィルムに包装され、それら複数の包装体が梱包箱に収容されている。
【発明の効果】
【０００７】
本発明によれば、建具用枠材に傷が付くのを抑止できる。
【図面の簡単な説明】
【０００８】
【図１】実施の形態に係る建具用枠材の梱包体を示す斜視図である。
【図２】図１のＡ−Ａ線断面図である。
【図３】図２の包装体のひとつを拡大して示す図である。
【図４】梱包体を形成するための梱包装置を示す図である。
【図５】変形例に係る建具用枠材の梱包体を示す断面図である。
【発明を実施するための形態】
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
図１は、実施の形態に係る建具用枠材の梱包体１０を示す斜視図である。図１では、梱包箱１２が開口した状態が示されている。図２は、図１のＡ−Ａ線断面図である。梱包体１０は、梱包箱１２と、複数の包装体１４と、を含む。
【００１１】
梱包箱１２は、直方体状の箱である。本実施の形態では、梱包箱１２は、段ボールの箱である。梱包箱１２には、複数の包装体１４が収容される。
【００１２】
複数の包装体１４はそれぞれ、建具用枠材１６と、建具用枠材１６を包装するフィルム１８と、を含む。つまり、梱包箱１２には、複数の建具用枠材１６が、それぞれフィルム１８に包装された上で梱包されている。複数の建具用枠材１６は、本実施の形態ではサッシを構成する枠材（すなわちサッシの構成部品）である。詳しくは、複数の建具用枠材１６はそれぞれ、上枠２０、下枠２２、縦枠２４，２６、天板２８である。複数の建具用枠材１６は、金属製の部材、樹脂製の部材、またはこれらを組み合わせた部材である。フィルム１８は、本実施の形態では熱収縮性を有するフィルムであり、例えばポリエチレンフィルムである。フィルム１８は、後述するように、建具用枠材１６をシュリンク包装する。
【００１３】
複数の建具用枠材１６ひいては包装体１４は、いずれも長尺状であり、長手方向が同じ方向を向いた状態で梱包箱１２に収容される。特に、複数の包装体１４はそれぞれ、少なくとも１つの他の包装体１４と接触するように梱包箱１２に収納される。複数の包装体１４はそれぞれ、フィルム１８のファンデルワールス力や静電気力などにより、接触している他の包装体１４と接着し合う。これにより、複数の包装体１４は１つの塊（すなわち集合体）を形成する。この包装体１４の集合体は、少なくとも、互いに対向する梱包箱１２の２つの側面に接するように梱包箱１２に収容される。これにより、包装体１４は梱包箱１２により結束された状態となる。なお、ここでは、包装体１４の集合体は、梱包箱１２の４つの側面に接するように梱包箱１２に収容されている。
【００１４】
図３は、包装体１４のひとつを拡大して示す図である。図３に示すように、建具用枠材１６は、凹部１６ａや張り出し部１６ｂを有する。そのため、包装体１４には、例えば、建具用枠材の凹部１６ａや、建具用枠材の張り出し部１６ｂと端部との間に、フィルム１８が建具用枠材１６から浮いている部分（以下、「非密着部」と呼ぶ）が生じる。本実施の形態では、フィルム１８の非密着部には、弛みまたはしわが生じている。詳しくは、非密着部は、弛みまたはしわがありつつも、塑性変形しなければ建具用枠材１６に接触しない程度の張りを有している。つまり、フィルム１８は、非密着部の張りが強くなりすぎないように包装される。また、非密着部には、現場で作業者がフィルム１８を破いて建具用枠材１６を取り出すためのミシン目１８ａが設けられている。
【００１５】
図４は、梱包体１０を形成するための梱包装置３０を示す。梱包装置３０は、フィルム製袋機３２と、シュリンクトンネル３４と、自動積載機３６と、を含む。これらは、この順番に直列に並んでいる。フィルム製袋機３２は、建具用枠材１６をシュリンクトンネル３４に向けて移動させながらフィルム１８の袋に建具用枠材１６を１つずつ詰める。
【００１６】
シュリンクトンネル３４は、フィルム１８で包んだ建具用枠材１６（すなわち包装体１４）を自動積載機３６に向けて移動させながら、フィルム１８に熱風を吹き付ける。これにより、フィルム１８が熱収縮して建具用枠材１６に密着する。なお、フィルム１８の材質、フィルム１８に吹き付ける熱風の温度・風速、包装体１４がシュリンクトンネル内を移動する速度、を調整することにより、包装体１４の非密着部の弛みまたはしわが実現される。これらは実験やシミュレーションにより決定すればよい。
【００１７】
自動積載機３６は、例えば人により、包装体１４を梱包箱１２に収容する。こうして梱包体１０が形成される。
【００１８】
以上説明した実施の形態に係る建具用枠材１６の梱包体１０によると、建具用枠材１６は１つずつフィルム１８に包装される。これにより、建具用枠材１６同士が擦れて傷が付くのが抑止される。また、建具用枠材１６同士が擦れて傷が付くのが抑止されるため、傷が付くのを抑止するための合紙や積層段ボールが不要になる。これにより、資材点数が減り、コストを削減できる。また、合紙や積層段ボールを建具用枠材１６の間に入れ込む場合、一般的に手作業で建具用枠材１６を梱包することになる。これに対し、実施の形態に係る建具用枠材１６の梱包体１０では合紙や積層段ボールを入れ込まなくてよいため、建具用枠材１６を容易に梱包することが可能となる。これにより、作業者の負担が軽減される。
【００１９】
また、実施の形態に係る建具用枠材１６の梱包体１０によると、包装体１４は、フィルム１８のファンデルワールス力や静電気力より他の包装体１４と接着した状態となり、１つの集合体を形成する。その包装体１４の集合体は、梱包箱１２の４つの面に接するように梱包箱１２に収容される。したがって、包装体１４の集合体が梱包箱１２により結束された状態となり、梱包箱１２内で包装体１４が動くのが抑止される。これにより、例えば輸送時に、梱包箱１２内で包装体１４同士が衝突して建具用枠材１６に傷が付くのが抑止される。
【００２０】
また、実施の形態に係る建具用枠材１６の梱包体１０によると、包装体１４には、例えば建具用枠材１６の凹部１６ａや建具用枠材１６の張り出し部１６ｂと端部との間に、フィルム１８が建具用枠材１６から浮いている非密着部が生じる。この非密着部は、塑性変形しなければ建具用枠材１６に接触しない程度の張りを有しているため、建具用枠材１６同士がフィルム１８を介して接触するのを抑止でき、建具用枠材１６に傷ができるのを抑止できる。一方で、非密着部には弛みやしわがあるため、すなわちフィルム１８が張りすぎていないため、フィルム１８は破れにくい。例えば梱包時に他の包装体１４がこの非密着部に接触しても、フィルム１８は破れにくい。特に、非密着部にミシン目１８ａが設けられていても破けにくい。そのため、フィルム１８により建具用枠材１６を確実に保護できる。
【００２１】
以上、実施の形態に係る建具用枠材の梱包体ついて説明した。この実施の形態は例示であり、各構成要素の組み合わせにいろいろな変形例が可能なこと、またそうした変形例も本発明の範囲にあることは当業者に理解されるところである。
【００２２】
（変形例１）
実施の形態では、建具用枠材１６がサッシを構成する枠材である場合について説明したが、これに限られない。例えば、建具用枠材は、戸（例えば間仕切り戸やドア）の枠材であってもよい。
【００２３】
（変形例２）
実施の形態では、建具用枠材１６を熱収縮性を有するフィルム１８によりシュリンク包装する場合について説明したが、これに限られない。建具用枠材１６は、密着包装されればよく、例えばストレッチ包装されても、減圧包装されてもよい。この場合、実施の形態に係る建具用枠材１６の梱包体１０によって奏される作用効果と同様の作用効果が奏される。また、建具用枠材１６は、密着包装されずとも、少なくとも１ユニット（１つの建具用枠材１６あるいは係合された複数の建具用枠材１６）ずつ包装されればよい。この場合、建具用枠材１６同士が擦れて傷が付くのが抑止される。
【００２４】
（変形例３）
実施の形態では、包装体１４は建具用枠材１６を１つだけ含む場合、すなわち建具用枠材は１つずつ包装される場合について説明したが、これに限られない。
【００２５】
建具用枠材１６は、係合できる建具用枠材１６については、係合した上でまとめて包装されてもよい。つまり、建具用枠材は、１ユニットごとに包装されてもよい。複数の建具用枠材１６がフィルム１８に一緒に包装されても、係合されていれば、フィルム１８内で建具用枠材１６が互いに移動することが抑止されるため、建具用枠材１６同士が擦れて傷が付くこともないためである。本変形例によれば、実施の形態と同様の作用効果を奏することができる。
【００２６】
また、複数の建具用枠材１６は、密着包装であれば、まとめて包装されてもよい。密着包装されることで、一緒に包装された建具用枠材１６がフィルム１８内で互いに移動するのが抑止されるため、建具用枠材１６同士が擦れて傷が付くのが抑止される。なお、複数の建具用枠材１６は、好ましくは、非意匠面同士を接触させた状態でまとめて包装される。この場合、フィルム１８内で建具用枠材１６が互いに移動しても、意匠面に傷が付くのが抑止される。
【００２７】
（変形例４）
実施の形態および上述の変形例では、すべての建具用枠材１６を包装する場合について説明したがこれに限られない。フィルム１８に包装されていない建具用枠材１６同士が接触しなければ、必ずしもすべての建具用枠材１６が包装されていなくてもよい。例えば樹脂製のパッキンを有する建具用枠材１６では、フィルム１８に包装されたまま長時間経過するとフィルム１８の圧力によってパッキンが変形しうるため、フィルム１８に包装されるのは望ましくない。本変形例は、このような場合に有効となる。
【００２８】
図５は、本変形例に係る梱包体１１０を示す断面図である。図５は図２に対応する。図５に示す例では、パッキン１６ｃを有する上枠２０がフィルム１８に包装されず、その他の建具用枠材１６はフィルム１８に包装されている。したがって、フィルム１８に包装されていない建具用枠材１６同士が接触していない。この場合、実施の形態に係る建具用枠材１６の梱包体１０と同様に、建具用枠材１６同士が擦れて傷が付くのが抑止される。
【００２９】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連携によって実現されることも当業者には理解されるところである。
【００３０】
以上の記載から、下記の発明が認識される。
本発明のある態様の建具用枠材の梱包体は、複数の建具用枠材が１ユニットごとにフィルムに包装され、それら複数の包装体が梱包箱に収容されている。
【００３１】
複数の包装体のうちの少なくとも１つの包装体に含まれる建具用枠材のユニットは、係合された複数の建具用枠材であってもよい。
【００３２】
複数の建具用枠材が１ユニットごとにフィルムに密着包装されてもよい。
【００３３】
本発明の別の態様は、建具用枠材の梱包体である。この建具用枠材の梱包体は、複数の建具用枠材が少なくとも１つずつフィルムに密着包装され、それら複数の包装体が梱包箱に収容されている。
【００３４】
これらの態様によると、建具用枠材同士が擦れて傷が付くのが抑止される。
【００３５】
複数の包装体のそれぞれについて、包装された建具用枠材から浮いているフィルムの部分には、弛みまたはしわが生じていてもよい。この場合、建具用枠材同士がフィルムを介して接触するのを抑止でき、建具用枠材に傷ができるのを抑止でき、かつ、浮いているフィルムの部分が破れにくくなる。
【００３６】
複数の包装体のそれぞれについて、包装された建具用枠材から浮いているフィルムの部分には、ミシン目が設けられていてもよい。
【００３７】
複数の包装体の集合体は、互いに対向する梱包箱の２つの側面に少なくとも接するように梱包箱に収容されていてもよい。この場合、複数の包装体の集合体が梱包箱の中で移動するのが抑止できる。
【００３８】
フィルムに包装されない建具用枠材である非包装体が、他の非包装体と接触しないように、複数の包装体とともに梱包箱に収容されていてもよい。
【符号の説明】
【００３９】
１０  梱包体、  １２  梱包箱、  １４  包装体、  １６  建具用枠材、  １８  フィルム、  １００  梱包体。
【図１】
2018027804.tif 000003
【図２】
2018027804.tif 000004
【図３】
2018027804.tif 000005
【図４】
2018027804.tif 000006
【図５】
2018027804.tif 000007